(57)【特許請求の範囲】
【請求項１】
外部電源との接続により充電可能な電源で駆動される表示装置であって、
表示部と、
前記外部電源との接続状態を検出する電源検出部と、
前記電源検出部が検出した前記接続状態に応じて、前記表示部の反転表示と非反転表示の切り換えを行う表示制御部と、
前記外部電源と接続していない状態での前記表示部の表示時間を測定する時間測定部と、
前記時間測定部で測定した表示時間に応じて、前記外部電源と接続した状態での前記表示部の輝度を調整する表示調整部とを、有する表示装置。
【請求項２】
外部電源との接続により充電可能な電源で駆動される表示装置であって、
表示部と、
前記外部電源との接続状態を検出する電源検出部と、
前記電源検出部が前記外部電源との接続を検出した場合、前記表示部の非反転表示を反転表示へ切り換える表示制御部と、
前記外部電源と接続していない状態での前記表示部の表示時間を測定する時間測定部と、
前記時間測定部で測定した表示時間に応じて、前記外部電源と接続した状態での前記表示部の輝度を調整する表示調整部とを、有する表示装置。
【請求項３】
外部電源との接続により充電可能な電源で駆動される表示装置であって、
表示部と、
前記外部電源との接続状態を検出する電源検出部と、
前記電源検出部が前記外部電源との接続を検出した場合、前記表示部の反転表示を非反転表示に切り換える表示制御部と、
前記外部電源と接続していない状態での前記表示部の表示時間を測定する時間測定部と、
前記時間測定部で測定した表示時間に応じて、前記外部電源と接続した状態での前記表示部の輝度を調整する表示調整部とを、有する表示装置。
【請求項４】
請求項１ないし３のいずれかに記載の表示装置であって、
前記表示調整部は、前記時間測定部で測定した表示時間が長くなるのに応じて、前記外部電源と接続した状態での前記表示部の輝度を大きくなるように調整する表示装置。
【請求項５】
請求項１ないし４のいずれかに記載の表示装置を含む携帯機器。
【発明の詳細な説明】
【０００１】
【発明の属する技術分野】
本発明は、携帯機器等で使用され、充電可能な電源により駆動される表示装置に関する。
【０００２】
【従来の技術】
携帯電話等の携帯機器には、小型化が求められているため、携帯機器に使用される表示装置にも、一層の小型化が求められている。したがって、従来、表示装置として使用されてきたＬＣＤに比べ、薄型化が可能な有機ＥＬに代表される発光型の表示装置が使用されつつある。
【０００３】
また、携帯電話の表示装置には、電話の残容量、電界強度、といった状態表示する部分が存在し、この状態表示部分は固定パターン部分であるため、他の部分に比べ輝度等の特性が劣化し、いわゆる焼き付きを起こすという問題がある。この問題を解決する方法として、非反転表示と反転表示を定期的に切り換える方法があるが、機器の使用中に表示の切り換えが行われると、使用者にとって煩わしいばかりではなく、場合によっては故障と誤解される可能性がある。
【０００４】
さらに、携帯電話の表示装置として、発光型表示装置を採用し、反転表示を行うと、消費電力が増加し、充電せずに使用できる時間が短くなるという問題がある。
【０００５】
【発明が解決しようとする課題】
本発明は、上記問題を解決するものであり、機器の使用者に表示装置の表示状態の変化を意識させることなく、表示装置の長寿命化を図ることを目的とする。また、発光型表示装置を用いた場合でも、消費電力の増加を防ぎ、充電しないで使用できる時間の短縮化を防止することを目的とする。
【０００６】
【課題を解決するための手段】
本発明の表示装置は、外部電源との接続により充電可能な電源で駆動されるものであって、表示部と、前記外部電源との接続状態を検出する電源検出部と、前記電源検出部が検出した前記接続状態に応じて、前記表示部の反転表示と非反転表示の切り換えを行う表示制御部と、前記外部電源と接続していない状態での前記表示部の表示時間を測定する時間測定部と、前記時間測定部で測定した表示時間に応じて、前記外部電源と接続した状態での前記表示部の輝度を調整する表示調整部とを、有するものである。このように、外部電源接続時に表示の切り換えを行うことにより、表示部の焼き付きを防止することができる。また、外部電源接続時の表示部の消費電流を考慮する必要もなく、充電しないで使用できる時間を減少させる問題も発生しない。さらに、通常の機器の使用時に表示を反転させるのではなく、外部電源接続時に表示の反転を行うため、使用者に故障と誤解される可能性が低くなる。また、時間測定部で測定した表示時間に応じて、外部電源と接続した状態での表示部の輝度を調整することにより、厳密に表示素子間の特性の差を抑えることができ、焼き付きの度合いを最小限に抑えることができる。
【０００７】
本発明の表示装置は、外部電源との接続により充電可能な電源で駆動されるものであって、表示部と、前記外部電源との接続状態を検出する電源検出部と、前記電源検出部が前記外部電源との接続を検出した場合、前記表示部の非反転表示を反転表示へ切り換える表示制御部と、前記外部電源と接続していない状態での前記表示部の表示時間を測定する時間測定部と、前記時間測定部で測定した表示時間に応じて、前記外部電源と接続した状態での前記表示部の輝度を調整する表示調整部とを、有するものである。また、本発明の表示装置は、外部電源との接続により充電可能な電源で駆動されるものであって、表示部と、前記外部電源との接続状態を検出する電源検出部と、前記電源検出部が前記外部電源との接続を検出した場合、前記表示部の反転表示を非反転表示に切り換える表示制御部と、前記外部電源と接続していない状態での前記表示部の表示時間を測定する時間測定部と、前記時間測定部で測定した表示時間に応じて、前記外部電源と接続した状態での前記表示部の輝度を調整する表示調整部とを、有するものである。
【０００８】
本発明の表示装置は、前記表示調整部が、前記時間測定部で測定した表示時間が長くなるのに応じて、前記外部電源と接続した状態での前記表示部の輝度を大きくなるように調整するものを含む。
【０００９】
本発明の携帯機器は、上記した表示装置を含むものである。
【００１０】
【発明の実施の形態】
以下、本発明の実施の形態について、図１から図４を用いて説明する。図１は、本発明の実施の形態の表示装置が搭載されている携帯電話機の概略構成を示している。携帯電話機は、アンテナ１、無線送受信部２、制御部３、表示部４、電源検出部５、送受話回路６、メモリ部７、操作部８を含んで構成される。アンテナ１は、携帯電話機と基地局間の電波の送受信を行い、無線送受信部２は、送信波、あるいは受信波の増幅や周波数変換等を行う。
【００１１】
制御部３は、無線送受信部２、表示部４、電源検出部５といった携帯電話機を構成する各部あるいは全体の動作を制御するものである。また、制御部３は、表示部４を制御する表示制御部３１を含んでおり、さらに表示制御部３１は、輝度調整部３２と時間測定部３３を含んでいる。輝度調整部３２は、通常表示（以下、「非反転表示」と記述する場合もある。）時、または反転表示時の表示部４の輝度をそれぞれ調整する。時間測定部３３は、表示部４の非反転表示時間、または反転表示時間を測定する。
【００１２】
表示部４は、ＬＣＤ（液晶）のような受光型の表示部、あるいは有機ＥＬ（エレクトロルミネセンス）のような素子からなる発光型の表示部である。表示部４には、携帯電話機の場合、図２に示すような電池の残容量、電界強度といった携帯電話の状態を表示する部分が存在し、これらの状態表示部分には、電池やアンテナといった固定パターンが含まれる。非反転表示時の表示部４の輝度は、見易い輝度に調整されている。
【００１３】
電源検出部５は、充電状態、非充電状態を含めた外部電源との接続状態を検出するものである。送受話回路部６は、音声の送受を行うものであり、メモリ部７は、携帯電話機を動作させる上で必要なデータを格納するものであり、操作部８は、キー操作などのマンマシーンインタフェースとなるものである。
【００１４】
次に、表示制御部３による表示部４の表示について説明する。携帯電話機を外部電源と接続することなく、通話やインターネット接続等により使用している場合、表示部４には、通話補助情報やインターネットインターネットを介した送受信情報が表示される。また、状態表示部分には、図２に示すように、電池の残容量１１０、電界強度１１２を示す、電池やアンテナ等の固定パターンが非反転表示される。携帯電話機の使用により電池の残容量が少なくなり、使用者が充電のため外部電源と接続すると、表示制御部３１は電源検出部５が検出した接続状態に応じて、表示部４の表示を図２の図２の非反転表示から、図３に示すような反転表示へと切り換える。
【００１５】
表示部４の反転表示時の輝度の調整方法について、以下に説明する。表示調整部３３は、反転表示時の表示部４の輝度を次のように設定する。携帯電話を外部電源と接続することなく使用している平均使用時間と、平均充電時間と、そして、すでに調整されている非反転表示時の輝度とから、反転表示時の輝度を設定し、使用により劣化した表示素子間に特性の差が生じないようにする。
【００１６】
反転表示時の輝度は、表示部４の使用状態に応じて調整するようにしてもよい。その場合の輝度の調整方法について、以下に説明する。時間測定部３２は、表示部４の非反転表示時間を測定するもので、非反転表示時にカウントアップし、反転表示時にカウントダウンするカウンタ（図示せず）を備える。このカウンタは、非反転表示時には所定時間毎にカウントアップし、反転表示時には、反転表示時の輝度に応じた時間毎にカウントダウンする。輝度調整部３３は、非反転表示から反転表示への切り換え時点におけるカウンタのカウント値に応じて、反転表示時の輝度を設定する。設定される反転表示時の輝度は、前述したように、表示素子間の特性の差が生じないような値に設定される。
【００１７】
この場合の、カウンタの状態の一例を図４に示す。カウンタは、表示輝度に応じた時間間隔、図４の例では２時間に１回の割合で、電源検出部５が外部電源との接続を検出するまでの間カウントアップする。非反転表示時の輝度が変更可能な場合、この時間間隔は、表示輝度に応じて変化する。例えば、図４の例において、非反転表示時の輝度を２倍に変更すると、カウンタは１時間に１回の割合でカウントアップする。
【００１８】
通話等の使用により電池の残容量が少なくなり、使用者が充電のため外部電源を接続すると、電源検出部５が外部電源との接続を検出し、表示制御部３１が表示部４を非反転表示から反転表示へと切り換えを行う。反転表示時にカウンタは、反転表示時の輝度に対応した時間間隔、すなわち非反転表示時間内にカウントアップしたカウンタの値が平均充電時間でゼロになるような時間間隔でカウントダウンする。この例では、平均充電時間が２時間であり、充電開始時のカウント値が１６であるので、２時間で１６だけカウントする間隔、すなわち１時間に８回の割合でカウントダウンする。そして、充電終了後、２時間に１回の割合で再びカウントアップを開始する。
【００１９】
なお、図４の例では、平均充電時間で充電が終了しているため、カウンタの値がゼロの状態から、再度カウントアップしているが、必ずしもゼロの状態からカウントアップするとは限らない。例えば、電池消費量が少ない状態で充電を行った場合や、満充電に達する前に、使用者が外部電源との接続を解いた場合には、カウンタがゼロになる前に再びカウントアップを開始する。また、電池消費量が非常に多い場合は、カウンタの値がゼロになっても充電が終了せず、負の値になってから再びカウントアップを開始する。以上の説明から明らかなように、カウンタの値は、表示素子間の特性の差を示すことになる。
【００２０】
上記の発明の実施の形態で説明した表示部４は、折り畳みタイプの携帯電話機のように複数あっても良く、複数の表示部からなる場合の組み合わせは、受光型の表示部と発光型の表示部をどのように組み合わせても良い。
【００２１】
また、上記の発明の実施の形態で説明した表示部４の切り換えは、電源検出部５が外部電源との接続を検出した時に、表示制御部３１が反転表示から非反転表示へ切り換えても良い。
【００２２】
さらに、上記の発明の実施の形態で説明した接続状態に、外部電源と接続し、非充電状態であることを含んでも良い。
【００２３】
【発明の効果】
以上説明したように、本発明によれば、充電状態を含めた外部電源との接続状態にある時に、表示装置の表示を反転させることにより、電池の残容量、電界強度、といった状態表示する部分と、それ以外の部分との特性の差をなくし、焼き付き防止を防止することができ、機器の使用者に表示装置の表示状態の変化を意識させることなく表示装置の長寿命化を図る効果を有する。また、本発明によれば、充電時に表示装置の表示を反転させることにより、通常使用時の消費電力を増加させること無く、充電しないで使用できる時間が短縮化されるのを防止する効果を有する。また、本発明によれば、反転表示、非反転表示といった表示部の表示状態により、充電状態あるか否かの外部電源との接続状態が一見して分かるという効果を有する。
【図面の簡単な説明】
【図１】本発明の実施の形態における表示装置を含む携帯電話機の構成図
【図２】本発明の実施の形態における表示装置の非反転表示時の表示画面の一例を示す図
【図３】本発明の実施の形態における表示装置の反転表示時の表示画面の一例を示す図
【図４】本発明の実施の形態における時間測定部のカウンタの状態の一例を示す図
【符号の説明】
１・・・アンテナ
２・・・無線送受信部
３・・・制御部
３１・・・表示制御部
３２・・・時間測定部
３３・・・輝度調整部
４・・・表示部
５・・・電源検出部
６・・・送受話部
７・・・メモリ部
８・・・操作部
１１０・・・通常表示（非反転表示）時の電池の残容量を示す表示
１１１・・・通常表示（非反転表示）時のメール受信を示す表示
１１２・・・通常表示（非反転表示）時の電界強度を示す表示
１１３・・・通常表示（非反転表示）時の日付を示す表示
２１０・・・反転表示時の電池の残容量を示す表示
２１１・・・反転表示時のメール受信を示す表示
２１２・・・反転表示時の電界強度を示す表示
２１３・・・反転表示時の日付を示す表示
【図１】
0004010805.tif 000002
【図２】
0004010805.tif 000003
【図３】
0004010805.tif 000004
【図４】
0004010805.tif 000005